(57)【要約】【課題】複数の電子機器を同時に接続できるＡＣアダプタを提供する。【解決手段】ＡＣアダプタに、入力されるＡＣ電圧を複数のＤＣ電圧に変換する変換手段を設けるとともに、各ＤＣ電圧を外部に出力するためのジャック６を、各ＤＣ電圧に対応して複数設ける。上記の変換手段は、プラグ２を介して入力されるＡＣ１００Ｖの交流電圧を変圧するトランス３と、トランス３にて変圧された電圧を複数のＤＣ電圧に変換するレギュレータ４と、各レギュレータ４にて得られたＤＣ電圧の各ジャック６への供給を制御するデジタル・ボリュームＩＣ５とで構成される。変換手段にて得られる各ＤＣ電圧に対応してジャック６を複数設けることにより、各ジャック６から複数のＤＣ電圧を同時に取り出すことができ、１個のＡＣアダプタで複数の電子機器を同時に使用することができる。【選択図】  図１
2004272610.tif 000002
【特許請求の範囲】
【請求項１】
入力される交流電圧を直流電圧に変換する変換手段と、
上記直流電圧を外部に出力するための電圧出力部とを備えた電源装置であって、
上記変換手段は、上記交流電圧を複数の直流電圧に変換し、
上記電圧出力部は、各直流電圧に対応して複数設けられていることを特徴とする電源装置。
【請求項２】
上記変換手段は、少なくとも１個の直流電圧の電圧値が、他の直流電圧の電圧値と異なるように、入力される交流電圧を複数の直流電圧に変換することを特徴とする請求項１に記載の電源装置。
【請求項３】
上記変換手段は、入力される交流電圧を、電圧値の全て異なる複数の直流電圧に変換することを特徴とする請求項１に記載の電源装置。
【請求項４】
上記電圧出力部からの出力電圧の電圧値を設定入力するための入力部をさらに備え、
上記変換手段は、上記交流電圧から変換して得られる各直流電圧の電圧値を、上記入力部によって入力された電圧値に変換することを特徴とする請求項１ないし３のいずれかに記載の電源装置
【請求項５】
上記変換手段は、上記電圧出力部と電気的に接続される電子機器の制御部に信号を送り、それをフィードバックすることで当該電子機器の使用電圧を検知し、上記入力部によって入力された電圧値と上記使用電圧とが一致している場合には、上記交流電圧から変換して得られる各直流電圧の電圧値を、上記入力部によって入力された電圧値に変換して上記電圧出力部に供給することを特徴とする請求項４に記載の電源装置。
【請求項６】
上記電圧出力部からの出力電圧を自動設定するよう指示を行うための入力部をさらに備え、
上記変換手段は、上記入力部によって自動設定が指示された場合には、各電圧出力部と電気的に接続される電子機器の制御部に信号を送り、それをフィードバックすることで当該電子機器の使用電圧を検知し、上記交流電圧から変換して得られる各直流電圧の電圧値を、上記使用電圧に変換して上記電圧出力部に供給することを特徴とする請求項１ないし３のいずれかに記載の電源装置。
【請求項７】
上記入力部は、タッチパネル式の表示装置で構成されていることを特徴とする請求項４ないし６のいずれかに記載の電源装置。
【請求項８】
上記各電圧出力部と電子機器との接続状態に応じた表示を行う接続状態表示部をさらに備えていることを特徴とする請求項１ないし７のいずれかに記載の電源装置。
【請求項９】
上記接続状態表示部は、
電流が供給されることにより発光する発光部と、
電子機器と上記電圧出力部とが電気的に接続されたときに短絡することによって、上記発光部への電流供給を停止させる電流供給停止部とを備えていることを特徴とする請求項８に記載の電源装置。
【請求項１０】
上記各電圧出力部は、上記電子機器の接続部が差し込まれることによって、上記電子機器と電気的に接続され、
上記電子機器の接続部が上記各電圧出力部に差し込まれたときに、上記接続部を係止する係止手段をさらに備えていることを特徴とする請求項１ないし９のいずれかに記載の電源装置。
【請求項１１】
上記係止手段は、外部からの押圧動作によって上記接続部の係止を解除するための押圧部を備えていることを特徴とする請求項１０に記載の電源装置。
【請求項１２】
上記各電圧出力部を保護する第１保護部材をさらに備えていることを特徴とする請求項１ないし１１のいずれかに記載の電源装置。
【請求項１３】
上記第１保護部材は、各電圧出力部の使用状態に応じて開閉することを特徴とする請求項１２に記載の電源装置。
【請求項１４】
上記電子機器が上記各電圧出力部と接続されることによって充電されている場合に、上記電子機器の充電状態を検出する充電状態検出手段と、
上記充電状態検出手段によって検出された充電状態に応じた表示を行う充電状態表示部とをさらに備えていることを特徴とする請求項１ないし１３のいずれかに記載の電源装置。
【請求項１５】
上記充電状態検出手段は、上記各電圧出力部から上記電子機器へ直流電圧を供給するのと同時に、上記電子機器のバッテリ容量および充電量を読み取ってバッテリ残量を検出し、
上記充電状態表示部は、上記バッテリ残量の検出結果に基づいて表示を行うことを特徴とする請求項１４に記載の電源装置。
【請求項１６】
室内のコンセントの第１差込口に差し込まれることによって、上記コンセントからの交流電圧を上記変換手段に供給する第１差込プラグと、
上記コンセントの第２差込口に差し込まれる第２差込プラグと、
上記電子機器のコンセント用プラグが差し込まれる電子機器用コンセントと、
上記第２差込プラグと上記電子機器用コンセントとを電気的に連結する連結部材とをさらに備えていることを特徴とする請求項１ないし１５のいずれかに記載の電源装置。
【請求項１７】
上記入力部を保護するための第２保護部材をさらに備えていることを特徴とする請求項４ないし７のいずれかに記載の電源装置。
【請求項１８】
上記第２保護部材を上記入力部に対して開閉させる第１開閉手段をさらに備えていることを特徴とする請求項１７に記載の電源装置。
【請求項１９】
上記第１開閉手段は、外部から押圧される押圧部の押圧動作と連動して、上記第２保護部材を上記入力部に対して開状態にさせることを特徴とする請求項１８に記載の電源装置。
【請求項２０】
上記電子機器用コンセントを保護するための第３保護部材をさらに備えていることを特徴とする請求項１６に記載の電源装置。
【請求項２１】
上記第３保護部材を上記電子機器用コンセントに対して開閉させる第２開閉手段をさらに備えていることを特徴とする請求項２０に記載の電源装置。
【発明の詳細な説明】
【０００１】
【発明の属する技術分野】
本発明は、ＡＣアダプタなどの電源装置に関するものである。
【０００２】
【従来の技術】
図１９は、従来のＡＣアダプタ１０１の外観構成を示している。このＡＣアダプタは、アダプタ本体１０２に、差込コンセント端子１０３と、ＤＣコード１０４と、ＤＣジャック１０５とを有している。例えば、部屋内のコンセント２０１の差込口２０２に、ＡＣアダプタ１０１の差込コンセント端子１０３を差し込み、１００ＶのＡＣ電圧がアダプタ本体１０２に供給されると、アダプタ本体１０２では、このＡＣ電圧がＤＣ電圧に変換され、ＤＣコード１０４およびＤＣプラグ１０５を介して電子機器に供給される。このように、ＡＣアダプタ１０１を用いれば、電子機器に必要な単一のＤＣ出力を得ることができる。
【０００３】
しかし、単一のＤＣ出力しか取り出せないＡＣアダプタ１０１では、仕様の異なる複数の電子機器には対応できないため、従来から様々な工夫が強いられている。
【０００４】
例えば特許文献１に記載の電源装置では、電子機器と接続される接続用電源部を異なる形状で２組設け、使用する電子機器に応じて各接続用電源部を選択的に外部に露呈するようにしている。これにより、使用する電子機器に応じた接続用電源部と上記電子機器とが電気的に接続され、１台の電源装置で、プラグやコンセントの種類（形状）が異なる２種類の電子機器を使用することが可能となっている。
【０００５】
また、例えば、特許文献２に記載の電源装置では、出力されるＤＣ電圧の極性を、極性変換手段により選択的に切り替えてＤＣ電圧を出力するようにしている。これにより、１台の電源装置で、極性の異なる電圧を必要とする２種類の電子機器を使用することが可能となっている。
【０００６】
【特許文献１】
実開平４−１３１８８７号公報（１９９２年１２月４日公開）
【特許文献２】
実開平５−７８１９３号公報（１９９３年１０月２２日公開）
【０００７】
【発明が解決しようとする課題】
ところが、特許文献１および特許文献２の電源装置は、いずれも、２種類の電子機器に対応してはいるが、当該電源装置に任意の電子機器を接続すると、電源装置の接続部が当該電子機器用に専有されるため、１個の電源装置で同時に使用できる電子機器の数は、いずれも１個である。したがって、上記従来の電源装置では、複数の電子機器を同時に使用することができないという問題が生ずる。
【０００８】
本発明は、上記の問題点を解決するためになされたものであり、その目的は、入力される交流電圧を直流電圧に変換する電源装置において、複数の電子機器を同時に接続して使用することのできる電源装置を提供することにある。
【０００９】
【課題を解決するための手段】
本発明の電源装置では、変換手段は、入力される交流電圧を複数の直流電圧に変換し、電圧出力部は、各直流電圧に対応して複数設けられているので、各電圧出力部から複数の直流電圧を同時に取り出すことができる。これにより、同時に使用することが必要な電子機器が複数ある場合でも、これらの電子機器を上記電源装置の各電圧出力部と接続すれば、１個の電源装置で複数の電子機器を同時に使用することができる。
【００１０】
【発明の実施の形態】
〔実施の形態１〕
本発明の実施の一形態について、図１ないし図１４に基づいて説明すれば、以下の通りである。
【００１１】
（１．ＡＣアダプタの回路構成）
図１は、本実施形態に係る電源装置としてのＡＣアダプタの基本的な回路構成を示すブロック図である。このＡＣアダプタは、本体１内に、プラグ２と、トランス３と、レギュレータ４と、デジタル・ボリュームＩＣ（Ｉｎｔｅｇｒａｔｅｄ  Ｃｉｒｃｕｉｔ）５と、ジャック６とを備えている。本発明は、ＡＣアダプタにジャック６を複数設けることにより、１個のＡＣアダプタから各ジャック６を介して複数のＤＣ電圧を同時に取り出せるようにした点に大きな特徴がある。以下、ＡＣアダプタの各構成について説明する。
【００１２】
プラグ２は、図示しない室内のコンセントの差込口に差し込まれるものであり、ＡＣ（交流）１００Ｖの電源供給を受ける。トランス３は、プラグ２を介して入力されるＡＣ１００Ｖの交流電圧を変圧する、すなわち、所定の電圧に降圧する変圧手段として動作する回路である。
【００１３】
レギュレータ４は、整流回路、平滑回路、定電圧制御回路等で構成され、トランス３にて変圧された電圧をＤＣ（直流）電圧に変換するとともに、ある程度使用の多いいくつかの電圧に定電圧化する直流変換手段として動作する回路である。本実施形態では、レギュレータ４は、例えば５個設けられており、各々のレギュレータ４を介して、例えば３Ｖ、５Ｖ、６．５Ｖ、９Ｖ、１２ＶのＤＣ電圧が得られるようになっている。なお、レギュレータ４の数およびＤＣ電圧の値は、上記の数値に限定されるわけではない。
【００１４】
デジタル・ボリュームＩＣ５は、各レギュレータ４にて得られたＤＣ電圧の各ジャック６への供給を制御する制御手段として動作する回路である。デジタル・ボリュームＩＣ５の動作については、後述するタッチパネル式の入力部７からの手動入力によってコントロールすることができ、これにより、各ジャック６からの出力電圧を細かく設定することが可能となっている。
【００１５】
以上のことから、上記したトランス３と、レギュレータ４と、デジタル・ボリュームＩＣ５とは、プラグ２を介して入力されるＡＣ電圧を、複数のＤＣ電圧に変換する変換手段を構成していると言える。
【００１６】
ジャック６は、電子機器のプラグ７１（図３（ａ）（ｂ）参照）が差し込まれたときに、上記変換手段にて得られたＤＣ電圧を上記電子機器に出力する電圧出力部である。本実施形態では、変換手段にて複数（例えば５個）のＤＣ電圧が得られるため、ジャック６は、各々のＤＣ電圧に対応して例えば５個設けられている。
【００１７】
また、各ジャック６の周囲には、例えばＬＥＤから構成される接続状態表示部８（図２参照）が設けられており、電子機器のプラグ７１が各ジャック６に差し込まれたときには、各ジャック６に対応する接続状態表示部８が消灯する一方、プラグ７１が各ジャック６から抜かれたときには、接続状態表示部８は点灯するようになっているが、その詳細なメカニズムについては、後述する。
【００１８】
上記の構成において、ＡＣアダプタのプラグ２が部屋内のコンセントの差込口に差し込まれると、当該コンセントから１００ＶのＡＣ電圧がプラグ２を介して本体１内に供給される。このＡＣ電圧は、トランス３にて所定の電圧に降圧され、各レギュレータ４にて所定の電圧値のＤＣ電圧に変換される。そして、各ＤＣ電圧は、デジタル・ボリュームＩＣ５の制御によって、対応するジャック６に供給される。電子機器のプラグ７１が各ジャック６に差し込まれ、これらが電気的に接続されると、各ジャック６に供給されたＤＣ電圧が、プラグ７１を介して電子機器に出力される。
【００１９】
以上のように、本実施形態のＡＣアダプタでは、変換手段（トランス３と、レギュレータ４と、デジタル・ボリュームＩＣ５）が、ＡＣ電圧を複数のＤＣ電圧に変換するものであり、電圧出力部としてのジャック６が、各ＤＣ電圧に対応して複数設けられている。これにより、各ジャック６から複数のＤＣ電圧を同時に取り出すことができるので、同時に使用することが必要な電子機器が複数ある場合でも、これらの電子機器をＡＣアダプタの各ジャック６と接続することにより、１個のＡＣアダプタで複数の電子機器を同時に使用することができる。
【００２０】
しかも、本実施形態では、上記変換手段は、プラグ２を介して入力されるＡＣ電圧を、電圧値の全て異なる複数のＤＣ電圧に変換している。これにより、必要とする入力電圧の異なる電子機器（仕様の異なる電子機器）が複数ある場合でも、これらの電子機器のプラグ７１を、ＡＣアダプタの所定のジャック６に差し込んで接続することにより、１個のＡＣアダプタで、仕様の異なる複数の電子機器を同時に使用することが可能となる。したがって、仕様の異なる複数の電子機器ごとに、ＡＣアダプタを用意する必要がない。
【００２１】
また、変換手段は、少なくとも１個のＤＣ電圧の電圧値が、他のＤＣ電圧の電圧値と異なるように、入力されるＡＣ電圧を複数のＤＣ電圧に変換する構成であってもよい。例えば、変換手段は、入力されるＡＣ電圧を、電圧値が同じ３個のＤＣ電圧と、これらの電圧値とは異なり、かつ、互いに電圧値の異なる２個のＤＣ電圧とに変換するようにしてもよい。この場合であっても、複数の電子機器を同時に各ジャック６に接続して使用できるとともに、各電子機器に対応してＡＣアダプタを用意する必要がない。特に、この構成は、入力電圧として同じＤＣ電圧を必要とする電子機器が多く、これらを同時に使用する可能性が高い場合に、これらを同時に各ジャック６に接続して使用できるという点で、非常に有効である。
【００２２】
また、入力電圧の異なる電子機器を複数同時に使用したい場合は、室内の１個のコンセントと複数のＡＣアダプタとをタコ足配線で接続することも考えられる。しかし、本実施形態のＡＣアダプタは、複数のジャック６を備えているので、室内のコンセントからＡＣ電圧の供給を受けた後で複数の電子機器を同時に使用できるターミナル的な機能をＡＣアダプタに持たせることができる。その結果、タコ足配線が不要となり、複雑な配線処理も不要となる。また、複雑な配線による見苦しさも解消することができる。
【００２３】
（２、ＡＣアダプタのその他の構成）
次に、本実施形態のＡＣアダプタのその他の特徴的な構成について説明する。図２は、本実施形態のＡＣアダプタの外観を示す斜視図である。本実施形態のＡＣアダプタは、本体１に、さらに、入力部７と、接続状態表示部８と、充電状態表示部９と、ＡＣコンセント１０とを備えている。上述した各ジャック６と上記の接続状態表示部８とは、本体１の上面に設けられている一方、入力部７、充電状態表示部９およびＡＣコンセント１０は、本体１の前面に設けられているが、配置位置はこれに限定されるわけではない。以下、ジャック６も含めて各構成の詳細について説明する。
【００２４】
（２−１．ジャックの構成）
図３（ａ）（ｂ）は、本実施形態のＡＣアダプタの本体１の各ジャック６に設けられたロック機構２１を模式的に示す説明図である。このロック機構２１は、電子機器のプラグ７１（接続部）が各ジャック６に差し込まれたときに、上記プラグ７１を係止する係止手段であり、支持部２２と、付勢手段２３と、係止レバー２４とで構成されている。
【００２５】
支持部２２は、付勢手段２３の一端を支持している。付勢手段２３は、例えばバネで構成されており、ジャック６に差し込まれた電子機器のプラグ７１の方向に、支持部２２を支点として係止レバー２４のレバー本体２４ａを付勢している。
【００２６】
係止レバー２４は、レバー本体２４ａと、このレバー本体２４ａの回動軸となる軸２４ｂと、レバー本体２４ａに設けられる係止爪２４ｃとで構成されている。レバー本体２４ａは、その一部が本体１の表面から外部に露出しており、使用者は、レバー本体２４ａを回動軸２４ｂを軸として回動させることが可能となっている。
【００２７】
係止爪２４ｃは、付勢手段２３により、ジャック６に差し込まれた電子機器のプラグ７１に形成されている溝部７２に嵌め込まれる方向に付勢されている。これにより、プラグ７１がジャック６に差し込まれた後は、プラグ７１が係止爪２４ｃによって係止され、プラグ７１のジャック６からの離脱方向への移動が阻止される。また、係止爪２４ｃは、ジャック６へのプラグ７１の差込時には、プラグ７１と当接する斜面を有しており、この斜面上をプラグ７１が当接しながら差込方向に移動することで、レバー本体２４ａが付勢手段２３による付勢力に抗して回動するようになっている。
【００２８】
このような構成により、プラグ７１のジャック６への差込時には、プラグ７１が係止爪２４ｃの斜面上を当接しながら差込方向に移動し、図３（ａ）に示すように、プラグ７１が係止爪２４ｃによる係止位置まで差し込まれたときには、付勢手段２３による付勢力により、係止爪２４ｃがプラグ７１の溝部７２に嵌る方向にレバー本体２４ａが回動する。これにより、プラグ７１が係止爪２４ｃによって自動的に係止される。
【００２９】
一方、プラグ７１のジャック６からの離脱時には、図３（ｂ）に示すように、付勢手段２３による付勢力に抗して、使用者がレバー本体２４ａを押圧することで、プラグ７１の係止爪２４ｃによる係止が解除される方向にレバー本体２４ａを回動させる。これにより、係止が解除されたプラグ７１をジャック６から離脱させることができる。プラグ７１をジャック６から離脱させた後は、付勢手段２３の付勢力により、レバー本体２４ａを簡単にリリースさせることができる。
【００３０】
以上のように、本体１には、係止手段としての上述のロック機構２１が設けられているので、使用機器のプラグ７１に何らかの外的な衝撃が加わったりしたときでも、簡単にジャック６から外れないようにすることができ、安全性を確保することができる。また、今まで使用機器にて行っていた動作が失われるのを防止することもできる。
【００３１】
また、ロック機構２１は、外部からの押圧動作によって電子機器のプラグ７１（接続部）の係止を解除するためのレバー本体２４ａ（押圧部）を備えている。これにより、使用者は、レバー本体２４ａを押圧することで、ロック機構２１によるプラグ７１の係止を解除することができるので、プラグ７１をＡＣアダプタから離脱させることができる。
【００３２】
また、図４は、本体１のジャック６近傍の外観構成を示している。本体１には、各ジャック６を保護する第１保護部材２５が設けられている。この第１保護部材２５は、本体１に対して開閉可能に設けられており、各ジャック６の未使用時（プラグ７１の非差込時）には、ジャック６を覆うように閉じる。一方、各ジャック６の使用時（プラグ７１の差込時）には、第１保護部材２５は開状態となり、ジャック６を使用可能な状態にさせる。
【００３３】
このように、第１保護部材２５を設けることにより、各ジャック６の未使用時に、各ジャック６に外的な衝撃が加わって変形したり、空気中の埃や塵が各ジャック６内部に侵入するのを防ぐことができる。
【００３４】
また、第１保護部材２５は、上述のように各ジャック６の使用状態に応じて開閉するので、各ジャック６の使用時には、第１保護部材２５は開状態となって、各ジャック６の使用を妨げないようにすることできる。一方、各ジャック６の未使用時には、第１保護部材２５は閉状態となって、上述のように各ジャック６を確実に保護することができる。
【００３５】
（２−２．入力部の構成）
次に、入力部７について説明する。
入力部７は、各ジャック６から出力されるＤＣ電圧の電圧値や使用する電子機器（使用機器）に応じた情報などを、表示および設定入力するためのものであり、本実施形態では、タッチパネル式の液晶パネルで構成されている。使用機器に応じた情報としては、例えば、使用機器の種類、使用機器のプラグ７１が差し込まれるジャック６の番号などがある。
【００３６】
ここで、図５は、本実施形態のＡＣアダプタの一部の接続状態を示す説明図である。入力部７は、デジタル・ボリュームＩＣ５と電気的に接続されており、デジタル・ボリュームＩＣ５は、入力部７にて入力された情報に基づいて、各ジャック６に供給するＤＣ電圧を調整するようになっている。例えば、入力部７にて、所定のジャック６の出力電圧が設定されると、デジタル・ボリュームＩＣ５は、上記ジャック６に対応するレギュレータ４にて得られたＤＣ電圧を、入力部７によって設定入力された電圧値に変換し、上記ジャック６に出力するようになっている。また、デジタル・ボリュームＩＣ５は、自らの動作に応じて入力部７の表示を制御している。
【００３７】
次に、入力部７における表示画面例およびデジタル・ボリュームＩＣ５の動作について説明する。
【００３８】
図６は、入力部７の初期画面を示している。画面左側には、使用機器の設定に関するメニューが表示されており、使用者は、画面の所定位置を押圧し、プルダウンさせることにより、使用機器を選択し、設定することができる。画面右側には、初期設定により、使用者の好みに応じた壁紙を表示させることができる。画面左側のメニューで、『オート設定』を選択した場合には、入力部７には、図９画面が表示され、使用機器のプラグ７１をジャック６に差し込むことが促される。
【００３９】
図６で任意の使用機器を選択した場合には、入力部７には、図７の画面が表示される。図７は、図６で使用機器として例えば『オーディオ』が設定された場合の表示画面を示している。この画面では、『オーディオ』として使用可能な電圧が表示される。使用者は、これらの中から任意の電圧値を選択し、『決定』を押圧入力することより、設定入力が完了する。
【００４０】
ここで、図７にて、『その他の電圧』を選択した場合には、入力部７には、図８の画面が表示される。この画面では、使用者は、使用電圧の数値および使用するジャック６の番号を任意に設定することができる。使用者が『決定』を押圧入力すれば、設定入力が完了する。
【００４１】
図７または図８の設定入力が完了すると、入力部７には、図９の画面が表示され、設定入力の確認、および使用機器のプラグ７１をジャック６に差し込むことが促される。これまでの設定内容でよければ、使用者は、使用機器のプラグ７１をジャック６に差し込んで、『ＯＫ』を押圧入力すればよい。一方、設定をやり直したい場合には、使用者は『戻る』を押圧入力すれば、図７または図８の画面に戻って再度、使用電圧を設定することができる。
【００４２】
図９にて、『ＯＫ』が入力されると、入力部７には、図１０の画面が表示され、設定された電圧が使用電圧として正しいか否かを、デジタル・ボリュームＩＣ５がチェックする。具体的には、デジタル・ボリュームＩＣ５は、ジャック６および使用機器のプラグ７１を介して使用機器の制御部に信号を送り、それをフィードバックすることで、使用電圧を検知し、設定電圧と使用電圧とが一致しているか否かを判断する。なお、『オート設定』が入力されている場合には、デジタル・ボリュームＩＣ５は、上記フィードバック信号によって、使用機器の使用電圧を自動的に検知するだけである。
【００４３】
設定電圧と使用電圧とが一致していなければ、デジタル・ボリュームＩＣ５の制御により、入力部７には、図７または図８の画面が表示され、再度、設定のやり直しが促される。一方、使用電圧と設定電圧とが一致している場合、あるいは、『オート設定』によって使用電圧のみを検知した場合には、デジタル・ボリュームＩＣ５は、ジャック６からの出力電圧が、上記設定電圧または検知した上記使用電圧となるように、対応するレギュレータ４からジャック６への出力電圧をコントロールする。そして、デジタル・ボリュームＩＣ５の制御により、入力部７には、図１１の画面が表示され、他の機器の電圧設定が促される。
【００４４】
図１１にて、他の機器の電圧設定を行う場合には、使用者は『次へ』を押圧入力し、再度、画面左側のメニューから使用機器を選択して、上記と同様の操作を繰り返せばよい。
【００４５】
以上のように、デジタル・ボリュームＩＣ５は、各レギュレータ４にて得られたＤＣ電圧を、入力部７によって入力された電圧値に変換し、各ジャック６に出力する。このことから、トランス３、レギュレータ４、デジタル・ボリュームＩＣ５からなる変換手段全体としては、プラグ２を介して供給されるＡＣ電圧から変換して得られる各ＤＣ電圧の電圧値を、入力部７によって入力された電圧値に変換するものであると言える。
【００４６】
このように、ＡＣアダプタが、各ジャック６からの出力電圧の電圧値を設定入力するための入力部７を備えており、変換手段が、ＡＣ電圧から変換されたＤＣ電圧を、入力部７によって入力された電圧値に変換するので、各ジャック６から出力されるＤＣ電圧を、使用機器に応じてあらゆる値に適切に設定することができ、また、使用機器に応じて微調整することもできる。その結果、本実施形態のＡＣアダプタを使用するにあたり、使用する電子機器を選ぶ必要がない。
【００４７】
また、上記変換手段は、ジャック６と電気的に接続される電子機器の制御部に信号を送り、それをフィードバックすることで当該電子機器の使用電圧を検知し、入力部７によって入力された電圧値と上記使用電圧とが一致している場合には、ＡＣ電圧から変換して得られる各ＤＣ電圧の電圧値を、入力部７によって入力された電圧値に変換してジャック６に供給する構成である。
【００４８】
これにより、ジャック６からの出力電圧の電圧値として、入力部７から誤った値が設定入力された場合でも、適切な電圧値の設定入力を使用者に促すことができる。そして、その後、適切な電圧値が設定入力されれば、ジャック６からの適切なＤＣ電圧の出力により、使用機器を正常に動作させることができる。
【００４９】
また、ＡＣアダプタは、ジャック６からの出力電圧を自動設定するよう指示を行うための入力部７を備えており、上記変換手段は、入力部７によって自動設定が指示された場合には、各ジャック６と電気的に接続される電子機器の制御部に信号を送り、それをフィードバックすることで当該電子機器の使用電圧を検知し、ＡＣ電圧から変換して得られる各ＤＣ電圧の電圧値を、上記使用電圧に変換してジャック６に供給する構成である。
【００５０】
これにより、使用する電子機器の使用電圧が不明であり、具体的な電圧値を設定することができない場合でも、変換手段によって、ＡＣ電圧が、使用する電子機器に応じたＤＣ電圧に変換されるので、このＤＣ電圧をジャック６から取り出して、電子機器を正常に動作させることができる。
【００５１】
また、上述した入力部７は、タッチパネル式の表示装置（例えば液晶パネル）で構成されているので、入力部７における情報の入力が容易であり、また、入力部７に、情報を入力するための入力手段と、情報を表示する表示手段としての両方の機能を持たせることができる。
【００５２】
（２−３．接続状態表示部の構成）
次に、接続状態表示部８について説明する。
図２で示したように、本体１の上面であって、各ジャック６の周囲には、接続状態表示部８が設けられている。接続状態表示部８は、各ジャック６と使用機器のプラグ７１との接続状態に応じた表示を行うものであり、図１２に示すように、ＬＥＤ８ａと、電極リング８ｂ・８ｃとで構成されている。
【００５３】
ＬＥＤ８ａは、電流の供給により発光する発光部である。電極リング８ｂ・８ｃは、内部空洞の電極リングであり、プラグ７１がジャック６に差し込まれたときには、プラグ７１の外周面と、電極リング８ｂ・８ｃのそれぞれの内周面とが接触するようになっている。また、プラグ７１がジャック６に差し込まれていない状態では、例えば電極リング８ｃ、ＬＥＤ８ａ、電極リング８ｂの経路で微量の電流が流れている。
【００５４】
上記の構成において、プラグ７１がジャック６に差し込まれていない状態では、ＬＥＤ８ａには微量の電流が流れているので、ＬＥＤ８ａは点灯している。この状態から、プラグ７１をジャック６に差し込むと、プラグ７１の外周面と、電極リング８ｂ・８ｃのそれぞれの内周面とが接触することによって、電極リング８ｂ・８ｃが短絡する。したがって、ＬＥＤ８ａには電流が流れなくなり、ＬＥＤ８ａは消灯する。つまり、使用機器のプラグ７１が各ジャック６に差し込まれたときには、接続状態表示部８は消灯する一方、プラグ７１が各ジャック６から抜かれたときには、接続状態表示部８は点灯する。
【００５５】
このように、接続状態表示部８が、各ジャック６と使用機器のプラグ７１との接続状態に応じた表示を行うので、実際に使用機器がＡＣアダプタから電源供給を受けているか否かを、接続状態表示部８により目視で容易に確認することができる。したがって、例えば、プラグ７１がジャック６に完全に差し込まれていない場合でも、そのような状態を接続状態表示部８の表示に基づいて容易に把握することができ、差込不良を防止して、ＡＣアダプタから使用機器に確実に電源供給を行うことができる。
【００５６】
また、接続状態表示部８は、電流が供給されることにより発光するＬＥＤ８ａ（発光部）と、電子機器とジャック６とが電気的に接続されたときに（電子機器のプラグ７１がジャック６に差し込まれたときに）短絡することによって、発光部への電流供給を停止させる電極リング８ｂ・８ｃ（電流供給停止部）とを備えている構成である。
【００５７】
これにより、電子機器とジャック６とが電気的に接続されていない場合には、ＬＥＤ８ａへの電流供給によりＬＥＤ８ａが点灯する一方、電子機器とジャック６とが電気的に接続されている場合には、電極リング８ｂ・８ｃの短絡によって、ＬＥＤ８ａへの電流供給が停止し、ＬＥＤ８ａが消灯する。このように、電子機器とジャック６との接続状態に応じて、ＬＥＤ８ａへの電流供給が確実に制御され、ＬＥＤ８ａを上記接続状態に応じて確実に点灯もしくは消灯させることができる。
【００５８】
（２−４．充電状態表示部の構成）
次に、充電状態表示部９について説明する。
充電状態表示部９は、使用機器が各ジャック６とプラグ７１を介して接続されることによって充電されている場合に、上記使用機器の充電状態に応じた表示を行うものであり、本実施形態では、使用機器の充電状態をＥ（Ｅｍｐｔｙ  ）、Ｍ（Ｍｉｄｄｌｅ）、Ｆ（Ｆｕｌｌ）の３段階で表示するＬＥＤで構成されている。つまり、これらのＬＥＤは、使用機器の充電レベルを示すインジケータとしての役目を果たしている。
【００５９】
ここで、図１３は、本実施形態のＡＣアダプタの一部の接続状態を示す説明図である。充電状態表示部９は、デジタル・ボリュームＩＣ５と電気的に接続されている。デジタル・ボリュームＩＣ５は、以下の手法により、使用機器の充電状態を判断し、その判断結果に応じて、各充電状態に対応するＬＥＤを点灯させる。
【００６０】
使用機器のプラグ７１が所定のジャック６に差し込まれると、デジタル・ボリュームＩＣ５は、所定の電圧値のＤＣ電圧を、ジャック６を介して使用機器に供給する。使用機器では、ＡＣアダプタから供給されるＤＣ電圧がバッテリ７３に充電されていくが、デジタル・ボリュームＩＣ５は、使用機器への電圧供給と同じラインで、同時にバッテリ７３の容量を読み取るとともに、現在の充電量からバッテリ残量を検出する。そして、デジタル・ボリュームＩＣ５は、検出したバッテリ残量に応じて回路内部で抵抗等を切り替えることにより、各ＬＥＤを切り替えて点灯させる。
【００６１】
例えば、デジタル・ボリュームＩＣ５は、バッテリ７３の残量割合が２／３以上であれば、ＥのＬＥＤを点灯させ、残量割合が１／３以上２／３未満であれば、ＭのＬＥＤを点灯させ、残量割合が１／３未満であれば、ＦのＬＥＤを点灯させる。
【００６２】
このように、本実施形態のＡＣアダプタは、電子機器が各ジャック６と接続されることによって充電されている場合に、上記電子機器の充電状態を検出するデジタル・ボリュームＩＣ５（充電状態検出手段）と、デジタル・ボリュームＩＣ５によって検出された充電状態に応じた表示を行う充電状態表示部９とを備えている構成である。
【００６３】
これにより、使用者は、充電状態表示部９の表示（点灯しているＬＥＤがどれか）に基づいて、電子機器の充電状態を一目で容易に、かつ、リアルタイムで把握することができる。また、ＬＥＤの表示に基づいて充電を行えば、途中で充電を止めることなく、最後まで十分に充電を行うことができ、１回の充電で、電子機器を長期間、確実に使用することができる。つまり、充電不足による電子機器の機能の停止を未然に防止することができる。
【００６４】
また、デジタル・ボリュームＩＣ５は、各ジャック６と接続された電子機器へＤＣ電圧を供給するのと同時に、上記電子機器のバッテリ容量および充電量を読み取ってバッテリ残量を検出し、充電状態表示部９は、上記バッテリ残量の検出結果に基づいて表示を行う構成である。これにより、使用者は、充電状態表示部９の表示に基づいて、電子機器の充電状態を正確に把握することができる。
【００６５】
（２−５．ＡＣコンセントまわりの構成）
次に、本体１に設けられるＡＣコンセント１０付近の構成について説明する。図１４は、本実施形態のＡＣアダプタの本体１の側面図を示している。ＡＣコンセント１０は、本体１の前面に設けられていることは、前述の通りである。このＡＣコンセント１０は、電子機器のコンセント用プラグが差し込まれる電子機器用コンセントである。
【００６６】
一方、ＡＣアダプタのプラグ２は、本体１の背面（ＡＣコンセント１０が設けられている面とは反対側の面）に設けられている。このプラグ２は、交流電圧の供給元である室内のコンセント８１の第１差込口８２に差し込まれることによって、コンセント８１からのＡＣ１００Ｖの電圧を本体１の変換手段（トランス３）に供給する第１差込プラグとして機能している。つまり、プラグ２は、ＡＣアダプタにてＤＣ電圧を作り出すために、その元となるＡＣ電圧の供給を受けるものである。
【００６７】
ここで、本実施形態のＡＣアダプタは、本体１に、プラグ１１と、スルー電極板１２とをさらに備えている。プラグ１１は、室内のコンセント８１の第２差込口８３に差し込まれる第２差込プラグである。スルー電極板１２は、ＡＣコンセント１０とプラグ１１とを電気的に連結する連結部材として機能している。
【００６８】
室内のコンセント８１が、上記したように２個の差込口（第１差込口８２と第２差込口８３）を有している場合、プラグ２を上記いずれかの差込口に差し込んで本実施形態のＡＣアダプタを使用すると、ＡＣアダプタの本体１の大きさによっては、他の差込口がこのＡＣアダプタで隠れてしまい、他の差込口を使用することができなくなる。
【００６９】
そこで、本実施形態では、上述のように、ＤＣ電圧を作り出すためのプラグ２の他に、別途、プラグ１１を本体１に設け、このプラグ１１とＡＣコンセント１０とをスルー電極板１２を介して電気的に接続するようにしている。これにより、プラグ２をコンセント８１の第１差込口８２に差し込むとともに、プラグ１１を第２差込口８３に差し込めば、第１差込口８２からは、プラグ２を介してＤＣ電圧への変換用のＡＣ１００Ｖの電圧を取り出すことができるとともに、第２差込口８３から供給されるＡＣ１００Ｖの電圧を、プラグ１１およびスルー電極板１２を介して、ＡＣコンセント１０から取り出すことができる。
【００７０】
したがって、本実施形態のＡＣアダプタをコンセント８１に差し込んでも、コンセント８１のいずれの差込口も遊ぶことがない。その結果、コンセント８１の両方の差込口を有効利用して、当該差込口の機能低下を防止することができる。また、ＡＣアダプタのプラグ２・１１をそれぞれコンセント８１の第１差込口８２および第２差込口８３に差し込んだ後、ＡＣコンセント１０に電子機器のコンセント用プラグを差し込めば、ＡＣコンセント１０を介して、電子機器に直接ＡＣ１００Ｖの電圧を供給することができ、本実施形態のＡＣアダプタを多目的に使用することができる。
【００７１】
以上のような作用効果を奏することから、本実施形態のＡＣアダプタは、室内のコンセント８１の第１差込口８２に差し込まれることによって、コンセント８１からのＡＣ電圧を上記変換手段に供給する第１差込プラグ（プラグ２）と、コンセント８１の第２差込口８３に差し込まれる第２差込プラグ（プラグ１１）と、電子機器のコンセント用プラグが差し込まれる電子機器用コンセント（ＡＣコンセント１０）と、上記第２差込プラグと上記電子機器用コンセントとを電気的に連結する連結部材（スルー電極板１２）とを備えていると言うことができる。
【００７２】
〔実施の形態２〕
本発明の他の実施の形態について、図１５および図１６に基づいて説明すれば、以下の通りである。なお、実施の形態１と同一の構成には同一の部材番号を付記し、その説明を省略する。
【００７３】
図１５および図１６に示すように、本実施形態では、実施の形態１のＡＣアダプタにおいて、第２保護部材３１と、第１開閉手段３２とを備えている。第２保護部材３１は、入力部７を保護するものであり、例えば、入力部７と同程度の面積を持つガラスや板状の透明アクリル板などで構成されている。
【００７４】
第１開閉手段３２は、第２保護部材３１を入力部７に対して開閉させるものであり、押圧ボタン３３と、支持部３４と、付勢手段３５と、被係止部３６と、係止部３７と、巻きバネ３８とで構成されている。
【００７５】
押圧ボタン３３は、本体１の前面（入力部７の設けられた面）から突出するように本体１に設けられている。支持部３４は、押圧ボタン３３を支持するものであり、軸３４ａを中心に回動可能となっている。また、支持部３４は、軸３４ａに対して押圧ボタン３３とは反対側で、第２保護部材３１と一体的に設けられた被係止部３６を離接可能に支持している。
【００７６】
付勢手段３５は、支持部３４にて支持された押圧ボタン３３が本体１の前面から突出する方向に支持部３４を付勢するものであり、例えばバネで構成されている。被係止部３６は、第２保護部材３１と一体的に設けられており、係止部３７によって係止される。
【００７７】
係止部３７は、被係止部３６を係止したり、その解除を行うものであり、本体１前面に対して被係止部３６が垂直方向に移動するにしたがって、本体１の前面と平行な方向に移動できる形状となっている。また、係止部３７は、図示しない付勢手段により、被係止部３６を係止する方向に付勢されている。巻きバネ３８は、入力部７または本体１前面に対して、軸３８ａを中心に第２保護部材３１を回動させる方向に付勢している。
【００７８】
上記の構成において、第２保護部材３１が入力部７を覆った状態から、押圧ボタン３３を押圧すると、この押圧ボタン３３を支持している支持部３４が軸３４ａを中心に回動するため、被係止部３６が持ち上げられる。すなわち、被係止部３６は、支持部３４からの押圧により、本体１前面から突出する方向に移動する。この被係止部３６の移動により、係止部３７は、本体１前面とは平行な方向であって、被係止部３６の係止が解除される方向に移動する。
【００７９】
係止部３７による被係止部３６の係止が解除されると、第２保護部材３１には、巻きバネ３８の付勢力しか働いていないため、第２保護部材３１は、軸３８ａを中心に自動的に回動（ポップアップ）し、入力部７に対して開状態となる。これにより、入力部７が本体１前面から露出するようになり、入力部７に対する押圧入力が可能となる。
【００８０】
第２保護部材３１が開状態となった後、押圧ボタン３３の押圧を止めると、押圧ボタン３３は、付勢手段３５の付勢力により、再び本体１前面から突出する元の位置に戻る。また、係止部３７も、図示しない付勢手段の付勢力により、被係止部３６を係止できる元の位置に戻っている。
【００８１】
この状態で、第２保護部材３１を巻きバネ３８の付勢力に抗して閉じていくと、第２保護部材３１に設けられた被係止部３６が係止部３７と接触する。そして、被係止部３６が本体１内部に向かう方向に移動するにつれて、係止部３７は、図示しない付勢手段の付勢力に抗して一旦、被係止部３６を係止する方向とは逆方向に移動するが、被係止部３６が係止位置まで進入すると、再度、被係止部３６を係止できる位置に戻る。これにより、第２保護部材３１には、巻きバネ３８により、回動方向の付勢力が働いてはいるものの、被係止部３６が係止部３７によって係止されることで、第２保護部材３１は静止したまま、入力部７を覆う状態となる。
【００８２】
以上のように、本実施形態のＡＣアダプタは、実施の形態１の構成において、入力部７を保護する第２保護部材３１を備えているので、外的な要因（衝撃など）によって入力部７に傷がつくなど、入力部７が損傷するのを回避することができる。また、押圧ボタン３３を押圧しない限り、第２保護部材３１は入力部７に対して開状態とはならず、入力部７を保護している。したがって、入力部７に対する押圧入力が不要なときに誤って押圧入力されるのを第２保護部材３１によって防ぐこともでき、ＡＣアダプタの誤動作を確実に防止することもできる。
【００８３】
また、本実施形態のＡＣアダプタは、入力部７に対して第２保護部材３１を開閉させる第１開閉手段３２をさらに備えている。これにより、入力部７の使用時、すなわち、入力部７における設定入力時には、第１開閉手段３２が第２保護部材３１を開状態にすることで、入力部７において設定入力が可能となる。一方、入力部７の不使用時には、第１開閉手段３２が第２保護部材３１を閉状態にすることで、第２保護部材３１により入力部７を保護することができる。
【００８４】
また、第１開閉手段３２は、外部から押圧される押圧部（押圧ボタン３３）の押圧動作と連動して、第２保護部材３１を入力部７に対して開状態にさせる構成である。具体的には、第１開閉手段３２は、第２保護部材３１と一体的に設けられる被係止部３６と、この被係止部３６を係止する係止部３７と、被係止部３６を離接可能に支持する支持部３４と、支持部３４を押圧して回動させることにより、係止部３７による係止を解除させる方向に被係止部３６を移動させる押圧ボタン３３（押圧部）と、第２保護部材３１を入力部７に対して開状態となるように付勢する巻きバネ３８（付勢手段）とを備えている。
【００８５】
これにより、押圧ボタン３３の押圧時には、支持部３４の回動によって被係止部３６が移動し、係止部３７による係止が解除される。そして、巻きバネ３８の付勢力によって、第２保護部材３１が入力部７に対して自動的に開状態となる。つまり、押圧ボタン３３を押圧するだけで、第２保護部材３１を自動的に開ける（ポップアップさせる）ことができ、入力部７に対して設定入力を行う使用者の利便性を向上させることができる。
【００８６】
なお、本実施形態では、第１開閉手段３２は、巻きバネ３８を備えているが、この巻きバネ３８を不要とすることもできる。巻きバネ４８を設けない場合には、第２保護部材３１は、巻きバネ３８の軸３８ａに相当する部分で回動可能に軸支される。この場合は、押圧ボタン３３の押圧時に、第２保護部材３１がポップアップすることはないが、第２保護部材３１を入力部７に対して開閉させることができることにかわりはない。
【００８７】
〔実施の形態３〕
本発明のさらに他の実施の形態について、図１７および図１８に基づいて説明すれば、以下の通りである。なお、実施の形態１・２と同一の構成には同一の部材番号を付記し、その説明を省略する。
【００８８】
図１７および図１８に示すように、本実施形態では、実施の形態１または２のＡＣアダプタにおいて、第３保護部材４１と、第２開閉手段４２とを備えている。第３保護部材４１は、ＡＣコンセント１０を保護するものであり、例えば、ＡＣコンセント１０と同程度の面積を持つガラスや板状の透明アクリル板などで構成されている。
【００８９】
第２開閉手段４２は、第３保護部材４１をＡＣコンセント１０に対して開閉させるものであり、押圧ボタン４３と、支持部４４と、付勢手段４５と、被係止部４６と、係止部４７と、巻きバネ４８とで構成されている。なお、巻きバネ４８は、特に設けられていなくてもよい。
【００９０】
押圧ボタン４３は、本体１の前面（ＡＣコンセント１０の設けられた面）から突出するように本体１に設けられている。支持部４４は、押圧ボタン４３を支持するものであり、軸４４ａを中心に回動可能となっている。また、支持部４４は、軸４４ａに対して押圧ボタン４３とは反対側で、第３保護部材４１と一体的に設けられた被係止部４６を離接可能に支持している。
【００９１】
付勢手段４５は、支持部４４にて支持された押圧ボタン４３が本体１の前面から突出する方向に支持部４４を付勢するものであり、例えばバネで構成されている。被係止部４６は、第３保護部材４１と一体的に設けられており、係止部４７によって係止される。
【００９２】
係止部４７は、被係止部４６を係止したり、その解除を行うものであり、本体１前面に対して被係止部４６が垂直方向に移動するにしたがって、本体１の前面と平行な方向に移動できる形状となっている。また、係止部４７は、図示しない付勢手段により、被係止部４６を係止する方向に付勢されている。巻きバネ４８は、ＡＣコンセント１０または本体１前面に対して、軸４８ａを中心に第３保護部材４１を回動させる方向に付勢している。
【００９３】
上記の構成において、第３保護部材４１がＡＣコンセント１０を覆った状態から、押圧ボタン４３を押圧すると、この押圧ボタン４３を支持している支持部４４が軸４４ａを中心に回動するため、被係止部４６が持ち上げられる。すなわち、被係止部４６は、支持部４４からの押圧により、本体１前面から突出する方向に移動する。このとき、被係止部４６の移動により、係止部４７は、本体１前面とは平行な方向であって、被係止部４６の係止が解除される方向に移動する。
【００９４】
係止部４７による被係止部４６の係止が解除されると、第３保護部材４１には、巻きバネ４８の付勢力しか働いていないため、第３保護部材４１は、軸４８ａを中心に自動的に回動（ポップアップ）し、ＡＣコンセント１０に対して開状態となる。これにより、ＡＣコンセント１０が本体１前面から露出するようになり、ＡＣコンセント１０への電子機器のコンセント用プラグの差し込みが可能となる。
【００９５】
第３保護部材４１が開状態となった後、押圧ボタン４３の押圧を止めると、押圧ボタン４３は、付勢手段４５の付勢力により、再び本体１前面から突出する元の位置に戻る。また、係止部４７も、図示しない付勢手段の付勢力により、被係止部４６を係止できる元の位置に戻っている。
【００９６】
この状態で、第３保護部材４１を巻きバネ４８の付勢力に抗して閉じていくと、第３保護部材４１に設けられた被係止部４６が係止部４７と接触する。そして、被係止部４６が本体１内部に向かう方向に移動するにつれて、係止部４７は、図示しない付勢手段の付勢力に抗して一旦、被係止部４６を係止する方向とは逆方向に移動するが、被係止部４６が係止位置まで進入すると、再度、被係止部４６を係止できる位置に戻る。これにより、第３保護部材４１には、巻きバネ４８により、回動方向の付勢力が働いてはいるものの、被係止部４６が係止部４７によって係止されることで、第３保護部材４１は静止したまま、ＡＣコンセント１０を覆う状態となる。
【００９７】
以上のように、本実施形態のＡＣアダプタは、実施の形態１または２の構成において、ＡＣコンセント１０を保護する第３保護部材４１を備えているので、外的な要因（衝撃など）によってＡＣコンセント１０が損傷するのを回避することができ、ＡＣコンセント１０を確実に保護することができる。また、ＡＣコンセント１０への塵や埃の進入も防止することができる。
【００９８】
また、本実施形態のＡＣアダプタは、ＡＣコンセント１０に対して第３保護部材４１を開閉させる第２開閉手段４２をさらに備えている。これにより、ＡＣコンセント１０の使用時、すなわち、ＡＣコンセント１０への電子機器のコンセント用プラグの差込時には、第２開閉手段４２が第３保護部材４１を開状態にすることで、上記コンセント用プラグをＡＣコンセント１０に差し込むことが可能となる。一方、ＡＣコンセント１０の不使用時には、第２開閉手段４２が第３保護部材４１を閉状態にすることで、第３保護部材４１によりＡＣコンセント１０を保護することができる。
【００９９】
また、第２開閉手段４２は、外部から押圧される押圧部（押圧ボタン４３）の押圧動作と連動して、第３保護部材４１をＡＣコンセント１０に対して開状態にさせる構成である。具体的には、第２開閉手段４２は、第３保護部材４１に設けられる被係止部４６と、この被係止部４６を係止する係止部４７と、被係止部４６を離接可能に支持する支持部４４と、支持部４４を押圧して回動させることにより、係止部４７による係止を解除させる方向に被係止部４６を移動させる押圧ボタン４３（押圧部）と、第３保護部材４１をＡＣコンセント１０に対して開状態となるように付勢する巻きバネ４８（付勢手段）とを備えている。
【０１００】
これにより、押圧ボタン４３の押圧時には、支持部４４の回動によって被係止部４６が移動し、係止部４７による係止が解除される。そして、巻きバネ４８の付勢力によって、第３保護部材４１がＡＣコンセント１０に対して自動的に開状態となる。つまり、押圧ボタン４３を押圧するだけで、第３保護部材４１を自動的に開ける（ポップアップさせる）ことができ、ＡＣコンセント１０を利用する使用者の利便性を向上させることができる。
【０１０１】
なお、巻きバネ４８を設けない場合には、第３保護部材４１は、巻きバネ４８の軸４８ａに相当する部分で回動可能に軸支される。この場合は、押圧ボタン４３の押圧時に、第３保護部材４１が自動的にポップアップすることはないが、第３保護部材４１をＡＣコンセント１０に対して開閉させることができることにかわりはない。
【０１０２】
なお、実施の形態２で示した第１開閉手段３２、または、実施の形態３で示した第２開閉手段４２の構成を、実施の形態１の第１保護部材２５の開閉手段として適用することも勿論可能である。
【０１０３】
【発明の効果】
以上のように、本発明の電源装置では、各電圧出力部から複数の直流電圧を同時に取り出すことができるので、同時に使用することが必要な電子機器が複数ある場合でも、これらの電子機器を電源装置の各電圧出力部と接続すれば、１個の電源装置で複数の電子機器を同時に使用することができるという効果を奏する。
【図面の簡単な説明】
【図１】本発明の実施の一形態に係る電源装置としてのＡＣアダプタの回路構成を示すブロック図である。
【図２】上記ＡＣアダプタの外観を示す斜視図である。
【図３】（ａ）は、上記ＡＣアダプタの本体の各ジャックに設けられたロック機構を模式的に示すとともに、電子機器のプラグがジャックに差し込まれて上記ロック機構にて係止されている状態を示す説明図である。（ｂ）は、上記ロック機構による上記プラグの係止を解除して、上記プラグをジャックから離脱させた状態を示す説明図である。
【図４】上記本体におけるジャック近傍の外観構成を示す斜視図である。
【図５】上記ＡＣアダプタの一部の接続状態を示す説明図である。
【図６】上記ＡＣアダプタが備える入力部の初期画面の一例を示す説明図である。
【図７】上記入力部にて設定された使用機器に応じた電圧を設定するための表示画面の一例を示す説明図である。
【図８】上記入力部にて、使用機器に取り出す任意の電圧および使用機器が接続されるジャックの番号を設定するための表示画面の一例を示す説明図である。
【図９】上記入力部にて設定された内容の確認を使用者に促すための表示画面の一例を示す説明図である。
【図１０】上記入力部にて設定された電圧が使用電圧として正しいか否かを上記ＡＣアダプタがチェックしている最中の表示画面の一例を示す説明図である。
【図１１】上記入力部にて、他の機器の電圧設定を使用者に促すための表示画面の一例を示す説明図である。
【図１２】上記ＡＣアダプタが備える接続状態表示部の概略の構成を示す説明図である。
【図１３】上記ＡＣアダプタの一部の接続状態を示す説明図である。
【図１４】上記ＡＣアダプタの本体の側面図である。
【図１５】本発明の他の実施の形態に係る電源装置としてのＡＣアダプタが備える入力部の保護部材の外観を示す斜視図である。
【図１６】上記保護部材を上記入力部に対して開閉させる開閉手段の概略の構成を示す説明図である。
【図１７】本発明のさらに他の実施の形態に係る電源装置としてのＡＣアダプタが備えるＡＣコンセントの保護部材の外観を示す斜視図である。
【図１８】上記保護部材を上記ＡＣコンセントに対して開閉させる開閉手段の概略の構成を示す説明図である。
【図１９】従来の電源装置としてのＡＣアダプタの外観構成を示す斜視図である。
【符号の説明】
１    本体
２    プラグ（第１差込プラグ）
３    トランス（変換手段）
４    レギュレータ（変換手段）
５    デジタル・ボリュームＩＣ（変換手段、充電状態検出手段）
６    ジャック（電圧出力部）
７    入力部
８    接続状態表示部
８ａ  ＬＥＤ（発光部）
８ｂ  電極リング（電流供給停止部）
８ｃ  電極リング（電流供給停止部）
９    充電状態表示部
１０    ＡＣコンセント（電子機器用コンセント）
１１    プラグ（第２差込プラグ）
１２    スルー電極板（連結部材）
２１    ロック機構（係止手段）
２４ａ  レバー本体（押圧部）
２５    第１保護部材
３１    第２保護部材
３２    第１開閉手段
３３    押圧ボタン（押圧部）
４１    第３保護部材
４２    第２開閉手段
７１    プラグ（接続部）
７３    バッテリ
８１    コンセント
８２    第１差込口
８３    第２差込口
【図１】
2004272610.tif 000003
【図２】
2004272610.tif 000004
【図３】
2004272610.tif 000005
【図４】
2004272610.tif 000006
【図５】
2004272610.tif 000007
【図６】
2004272610.tif 000008
【図７】
2004272610.tif 000009
【図８】
2004272610.tif 000010
【図９】
2004272610.tif 000011
【図１０】
2004272610.tif 000012
【図１１】
2004272610.tif 000013
【図１２】
2004272610.tif 000014
【図１３】
2004272610.tif 000015
【図１４】
2004272610.tif 000016
【図１５】
2004272610.tif 000017
【図１６】
2004272610.tif 000018
【図１７】
2004272610.tif 000019
【図１８】
2004272610.tif 000020
【図１９】
2004272610.tif 000021